(57)【要約】      （修正有）【課題】２つの電子装置の基板との間に角度を有しても簡単に電気接続することができる補強部材を備える枢転可能なコネクターを提供する。【解決手段】補強部材を備える枢転可能なコネクターは、固定部材１０及び回転部材２０を備え、該回転部材が枢転可能に固定部材１０に取り付けられ、該固定部材に複数の固定端子３０が貫設され、該回転部材に複数の接触端子４０が貫設され、それらの接触端子４０がそれぞれ、枢転可能に対応する固定端子３０に取り付けられ、また、該固定部材と回転部材２０との枢軸にそれぞれ金属材質からなる補強部材１５が嵌め込まれ、この補強部材１５により枢軸の強度及び耐磨耗性を高め、コネクターの使用寿命を延ばすことができる。【選択図】図３
0003187789.tif 000002
【実用新案登録請求の範囲】
【請求項１】
固定部材と、枢転可能に該固定部材に取り付けられ、内側に挿設空間が形成される回転部材と、該固定部材に貫設される複数の固定端子と、枢転可能に対応する固定端子と接触するように、回転部材の挿設空間に貫設される複数の接触端子とを有し、
その内、前記固定部材は、固定本体と、該固定本体の両端に延設される２つの固定アームと、該各固定アームの側壁に設けられる枢軸とを備え、前記回転部材は、回転本体と、該回転本体の両端に延設される２つの回転アームと、該各回転アームの側壁に形成される軸孔とを備え、該固定部材の枢軸が回転可能に回転部材の軸孔に取り付けられ、
また、前記固定部材の固定アームにおける、外端に挿設溝が形成され、側壁に該挿設溝と連通するガイド溝が形成され、該枢軸に径方向に向かって該挿設溝と連通する嵌合溝が形成され、且つ、該固定部材はさらに、２つの金属材質からなる補強部材を有し、該補強部材はそれぞれ、固定アーム及び第一枢設部に取り付けられ、プレートと、足部と、支持部とを備え、該プレートは、固定アームの挿設溝に嵌合され、該足部は、プレートに延設され、該支持部は、プレートに延設され、固定アームのガイド溝を通って嵌合溝に嵌合されることを特徴とする補強部材を備える枢転可能なコネクター。
【請求項２】
前記回転アームの軸孔が開放状を呈するように下側に開口が形成され、前記枢軸が該開口を通って回転アームの軸孔に取り付けられ、
前記回転アームの内端に軸孔と連通する位置決め溝が形成され、該位置決め溝に止め部材が嵌め込まれ、該止め部材により枢軸を回転アームの軸孔から脱出しないように位置決めることを特徴とする請求項１に記載の補強部材を備える枢転可能なコネクター。
【請求項３】
前記止め部材は、プレート及びフックを備え、該係合部は、プレートの一端に延設され、回転アームの内部に係合されることを特徴とする請求項２に記載の補強部材を備える枢転可能なコネクター。
【請求項４】
前記回転部材の回転アームは、外端に挿設溝が形成され、該挿設溝に組立部材が嵌合され、該組立部材は、挿設部と、固定部と、係合部とを備え、該挿設部は、挿設溝に嵌合され、該固定部は、挿設部に延設され、溶接手段により基板に接続するためのものであり、該係合部は、挿設部に延設され、回転アームの内部に係合されることを特徴とする請求項３に記載の補強部材を備える枢転可能なコネクター。
【請求項５】
前記固定端子は、固定段と、接着段と、接触段とを備え、該固定段は、固定本体に嵌合され、該接着段は、固定段の外端に延設され、該接触段は、固定段の内端に延設され、
前記接触端子は、組立段と、回転段と、接続段とを備え、該組立段は、固定本体に取り付けられ、該回転段は、組立段の内端に延設され、接触段と接触するように回転可能に固定端子に取り付けられ、該接続段は、組立段の外端に延設されることを特徴とする請求項４に記載の補強部材を備える枢転可能なコネクター。
【請求項６】
前記固定端子の接触段が一対の挟持弾性体であり、
前記接触端子の回転段が一対の挟持弾性体に挟持されるように、回転可能に固定端子に取り付けられることを特徴とする請求項５に記載の補強部材を備える枢転可能なコネクター。
【考案の詳細な説明】
【技術分野】
【０００１】
本考案は、特に枢設構造によって、コネクターの一方の端子が他方の端子に対して回転すると共に、それらの角度を自由に調整することができるので、２つの電子装置の基板を接続する時に、基板との間に角度を有しても自在に接続することができ、また、枢設構造の枢軸に補強構造を備え、枢軸の強度及び耐磨耗性を高める補強部材を備える枢転可能なコネクターに関するものである。
【背景技術】
【０００２】
コネクターは、現在の電子装置によく使用する電子部品であり、複数の電子製品の基板を電気接続したり、電子装置と他の装置とを電気接続したりすることができるので、実用性に優れた。既存のコネクターは、金属のケースを備え、該ケースに開口が形成され、該ケースの内部に絶縁本体が取り付けられ、該絶縁本体に複数の端子が設置され、それらの端子の一端が溶接手段により一方の基板と電気接続し、他端が開口近傍に延設され、他の電子装置の端子と接触するように、他方の基板と電気接続することができる。
【０００３】
既存のコネクターは、端子の一端が溶接手段により基板と電気接続するので、該基板に対して移動や回転することができなく、基板と平行に設けられなければならないと共に、ケースの開口も所定の箇所に形成しなければならない。また、２つの電子装置を組み合わせる時に、電子装置の基板を平行に配列しないと取り付けることができないので、電子装置の配列方法が制限され、使用上に非常に不便であった。
【先行技術文献】
【特許文献】
【０００４】
【特許文献１】特許公表２００１−５１０８８３号公報
【考案の概要】
【考案が解決しようとする課題】
【０００５】
上述したように、既存のコネクターの端子が基板に対して移動や回転することができないことから、コネクターの端子及び開口が基板と平行するように所定の箇所に設けられ、他の電子装置の基板と接続する時にも平行に組み合わせることが必要であるので、端子及び基板の構造や電子装置の配列方法などが制限されており、使用上、非常に不便であった。
【課題を解決するための手段】
【０００６】
本考案に係る補強部材を備える枢転可能なコネクターは、固定部材と、枢転可能に該固定部材に取り付けられ、内側に挿設空間が形成される回転部材と、該固定部材に貫設される複数の固定端子と、枢転可能に対応する固定端子と接触するように、回転部材の挿設空間に貫設される複数の接触端子とを有し、
その内、前記固定部材は、固定本体と、該固定本体の両端に延設される２つの固定アームと、該各固定アームの側壁に設けられる枢軸とを備え、前記回転部材は、回転本体と、該回転本体の両端に延設される２つの回転アームと、該各回転アームの側壁に形成される軸孔とを備え、該固定部材の枢軸が回転可能に回転部材の軸孔に取り付けられ、
また、前記固定部材の固定アームにおける、外端に挿設溝が形成され、側壁に該挿設溝と連通するガイド溝が形成され、該枢軸に径方向に向かって該挿設溝と連通する嵌合溝が形成され、且つ、該固定部材はさらに、２つの金属材質からなる補強部材を有し、該補強部材はそれぞれ、固定アーム及び第一枢設部に取り付けられ、プレートと、足部と、支持部とを備え、該プレートは、固定アームの挿設溝に嵌合され、該足部は、プレートに延設され、該支持部は、プレートに延設され、固定アームのガイド溝を通って嵌合溝に嵌合されるものである。
【０００７】
かかる補強部材を備える枢転可能なコネクターにおいて、前記回転アームの軸孔が開放状を呈するように下側に開口が形成され、前記枢軸が該開口を通って回転アームの軸孔に取り付けられ、
前記回転アームの内端に軸孔と連通する位置決め溝が形成され、該位置決め溝に止め部材が嵌め込まれ、該止め部材により枢軸を回転アームの軸孔から脱出しないように位置決めることが好ましい。
【０００８】
かかる補強部材を備える枢転可能なコネクターにおいて、前記止め部材は、プレート及びフックを備え、該係合部は、プレートの一端に延設され、回転アームの内部に係合されることが好ましい。
【０００９】
かかる補強部材を備える枢転可能なコネクターにおいて、前記回転部材の回転アームは、外端に挿設溝が形成され、該挿設溝に組立部材が嵌合され、該組立部材は、挿設部と、固定部と、係合部とを備え、該挿設部は、挿設溝に嵌合され、該固定部は、挿設部に延設され、溶接手段により基板に接続するためのものであり、該係合部は、挿設部に延設され、回転アームの内部に係合されることが好ましい。
【００１０】
かかる補強部材を備える枢転可能なコネクターにおいて、前記固定端子は、固定段と、接着段と、接触段とを備え、該固定段は、固定本体に嵌合され、該接着段は、固定段の外端に延設され、該接触段は、固定段の内端に延設され、
前記接触端子は、組立段と、回転段と、接続段とを備え、該組立段は、固定本体に取り付けられ、該回転段は、組立段の内端に延設され、接触段と接触するように回転可能に固定端子に取り付けられ、該接続段は、組立段の外端に延設されることが好ましい。
【００１１】
かかる補強部材を備える枢転可能なコネクターにおいて、前記固定端子の接触段が一対の挟持弾性体であり、
前記接触端子の回転段が一対の挟持弾性体に挟持されるように、回転可能に固定端子に取り付けられることが好ましい。
【考案の効果】
【００１２】
本考案の補強部材を備える枢転可能なコネクターは上記の構成を有すれば、固定部材が一方の基板に接続すると共に、回転部材が他方の基板に接続すると共に、回転部材が枢軸及び軸孔により固定部材に対して枢転することができるので、基板との間の角度を自由に調整することができ、電子装置の配置角度を自由に変更することができ、使用上の利便性が高い。また、枢軸に補強部材が嵌合されることによって、その枢軸を支持すると共に、枢軸の強度及び耐磨耗性を高め、使用寿命を延ばすことができる。
【図面の簡単な説明】
【００１３】
【図１】本考案に係る補強部材を備える枢転可能なコネクターの斜視図である。
【図２】本考案に係る補強部材を備える枢転可能なコネクターの他の斜視図である。
【図３】本考案に係る補強部材を備える枢転可能なコネクターの部分分解斜視図である。
【図４】本考案に係る補強部材を備える枢転可能なコネクターの他の部分分解斜視図である。
【図５】本考案に係る補強部材を備える枢転可能なコネクターの分解斜視図である。
【図６】本考案に係る補強部材を備える枢転可能なコネクターの他の分解斜視図である。
【図７】本考案に係る補強部材を備える枢転可能なコネクターにおいて、第一基板と第二基板との角度を９０度になった状態を示す側面図である。
【図８】本考案に係る補強部材を備える枢転可能なコネクターにおいて、第一基板と第二基板との角度を１８０度になった状態を示す側面図である。
【図９】本考案に係る補強部材を備える枢転可能なコネクターにおいて、第一基板と第二基板との角度を自由に調整した状態を示す側面図である。
【図１０】本考案に係る補強部材を備える枢転可能なコネクターの部分拡大斜視図である。
【図１１】本考案に係る補強部材を備える枢転可能なコネクターの部分拡大正面図である。
【考案を実施するための形態】
【００１４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１５】
図１乃至図４に示すように、本考案に係る補強部材を備える枢転可能なコネクターは、固定部材１０と、回転部材２０と、複数の固定端子３０と、複数の接触端子４０とを有する。
【００１６】
図５及び図６に示すように、前記固定部材１０は、固定本体１１と、２つの固定アーム１２と、２つの第一枢設部１３とを備え、該固定本体１１は、内側に複数の固定孔１００が間隔をおいて形成され、該固定アーム１２はそれぞれ、固定本体１１の両端から内側へ延設され、外端１２１に挿設溝１２２が形成され、側壁に該挿設溝１２２と連通するガイド溝１２３が形成され、該第一枢設部１３はそれぞれ、固定アーム１２の側壁に設けられ、該挿設溝１２２と連通する嵌合溝１３３が径方向に向かって形成される。本実施例の第一枢設部１３は、固定アーム１２の側壁から凸設される枢軸である。
【００１７】
図５及び図１０に示すように、前記固定部材１０はさらに、２つの補強部材１５を有し、該補強部材１５は、金属材質からなり、固定アーム１２及び第一枢設部１３に取り付けられ、プレート１５１と、足部１５２と、支持部１５３とを備え、該プレート１５１は、固定アーム１２の挿設溝１２２に嵌合され、該足部１５２は、プレート１５１の下側に延設され、溶接手段により基板と接続するために、固定アーム１２の外部に延出し、該支持部１５３は、プレート１５１の上側に延設され、固定アーム１２のガイド溝１２３を通って嵌合溝１３３に嵌合される。この構造を有すれば、補強部材１５が支持部１５３ににより枢軸を支持することから、この枢軸の強度及び耐磨耗性を高める。
【００１８】
前記回転部材２０は、枢転可能に固定部材１０に取り付けられ、内側に挿設空間２００が形成され、回転本体２１と、２つの回転アーム２２と、２つの第二枢設部２３とを備え、該回転アーム２２はそれぞれ、回転本体２１の両端から内側へ延設され、該第二枢設部２３はそれぞれ、回転アーム２２の側壁に形成され、回転可能に第一枢設部１３に取り付ける。本実施例の第二枢設部２３は、回転アーム２２の側壁に形成される軸孔である。
【００１９】
前記固定端子３０はそれぞれ、固定部材１０の固定孔１００に貫設され、固定段３１と、接着段３２と、接触段３３とを備え、該固定段３１は、固定本体１１に嵌合され、該接着段３２は、固定段３１の外端に延設され、基板と接続するための足であり、該接触段３３は、固定段３１の内端に延設される。本実施例の固定端子３０の接触段３３は、一対の挟持弾性体３３１である。
【００２０】
前記接触端子４０はそれぞれ、枢転可能に対応する固定端子３０と接触するように、回転部材２０の挿設空間２００に貫設され、組立段４１と、回転段４２と、接続段４３とを備え、該組立段４１は、固定アーム１２との間に位置するように固定本体１１に取り付けられ、該回転段４２は、組立段４１の内端に延設され、接触段３３と接触するように回転可能に固定端子３０に取り付けられ、該接続段４３は、組立段４１の外端に延設され、他のコネクターの端子と接触することができる。本実施例の接触端子４０の回転段４２は、一対の挟持弾性体３３１に挟持されるように、回転可能に固定端子３０に取り付けられる。
【００２１】
一方、図４及び図５に示すように、前記回転アーム２２の軸孔が下側に開口が形成され、開放状を呈することから、第一枢設部１３の枢軸が開口を通って回転アーム２２の軸孔に取り付けることができる。さらに、該回転アーム２２の内端に軸孔と連通する位置決め溝２４が形成され、該位置決め溝２４に止め部材２５が嵌め込まれ、この止め部材２５により第一枢設部１３の枢軸を回転アーム２２の軸孔から脱出しないように位置決めることができる。該止め部材２５は、プレート２５１及びフック２５５を備え、該プレート２５１は、回転アーム２２の軸孔に延出するように、位置決め溝２４に嵌め込まれ、該係合部２５５は、プレート２５１の一端に延設され、回転アーム２２の内部に係合される。
【００２２】
また、図５に示すように、前記回転部材２０の回転アーム２２は、外端２２２に挿設溝２２３が形成され、該挿設溝２２３に組立部材２６が嵌合され、該組立部材２６は、挿設部２６１と、固定部２６２と、係合部２６５とを備え、該挿設部２６１は、挿設溝２２３に嵌合され、該固定部２６２は、挿設部２６１に延設され、溶接手段により基板に接続するために、回転アーム２２の外部に延出し、該係合部２６５は、挿設部２６１に延設され、回転アーム２２の内部に係合される。
【００２３】
上述した構造を有すれば、以下のメリットを提供する。
１． 本考案に係る補強部材を備える枢転可能なコネクターを使用する時、固定端子３０が溶接手段または他の接着手段により一方の基板に固定されると、回転部材２０が第一枢設部１３及び第二枢設部２３により固定部材１０及び該基板に対して所望の角度に枢転することができると共に、接触端子４０が溶接手段または他の接着手段により他方の基板と接続することができる。
【００２４】
２． 図７乃至図９に示すように、本考案に係る補強部材を備える枢転可能なコネクターは、ヒンジのように２つの基板を接続することができ、例えば、固定部材１０が溶接手段により第一基板５０に接続されると共に、回転部材２０が溶接手段により第二基板６０に接続されると、この時、回転部材２０が第一枢設部１３及び第二枢設部２３により固定部材１０に対して枢転することができるので、第一基板５０と第二基板６０との間の角度を自由に調整することができる。且つ、第一基板５０と第二基板６０との間に角度を９０度乃至１２０度または９０度乃至３００度の範囲内に自由に調整することが好ましい。本考案の補強部材を備える枢転可能なコネクターを有すれば、２つの電子装置の基板を接続する時に、その基板との角度を調整することができるので、電子装置の配置角度を自由に変更することができる。
【００２５】
３． 本考案に係る補強部材を備える枢転可能なコネクターにおける、補強部材１５の支持部１５３が第一枢設部１３の枢軸に嵌合されることによって、その枢軸を支持することができるので、枢軸の強度及び耐磨耗性を高め、使用寿命を延ばす。
【００２６】
４． 本考案に係る補強部材を備える枢転可能なコネクターを組み立てる時に、その第一枢設部１３の枢軸が第二枢設部２３の開口を通って第二枢設部２３に取り付けて、止め部材２５が位置決め溝２４にはめ込んで第一枢設部１３の枢軸を回転アーム２２の軸孔から脱出しないように位置決めることができるので、回転部材２０と固定部材１０との組み立てが簡単であり、回転部材２０が２つや複数の部材からなるものではなく、丈夫な一体形成の構造を有する。
【符号の説明】
【００２７】
１０ 固定部材
１００ 固定孔
１１ 固定本体
１２ 固定アーム
１２１ 外端
１２２ 挿設溝
１２３ ガイド溝
１３ 第一枢設部
１３３ 嵌合溝
１５ 補強部材
１５１ プレート
１５２ 足部
１５３ 支持部
２０ 回転部材
２００ 挿設空間
２１ 回転本体
２２ 回転アーム
２２３ 挿設溝
２３ 第二枢設部
２４ 位置決め溝
２５ 止め部材
２５１ プレート
２５５ フック
２６ 組立部材
２６１ 挿設部
２６２ 固定部
２６５ 係合部
３０ 固定端子
３１ 固定段
３２ 接着段
３３ 接触段
３３１ 挟持弾性体
４０ 接触端子
４１ 組立段
４２ 回転段
４３ 接続段
【図１】
0003187789.tif 000003
【図２】
0003187789.tif 000004
【図３】
0003187789.tif 000005
【図４】
0003187789.tif 000006
【図５】
0003187789.tif 000007
【図６】
0003187789.tif 000008
【図７】
0003187789.tif 000009
【図８】
0003187789.tif 000010
【図９】
0003187789.tif 000011
【図１０】
0003187789.tif 000012
【図１１】
0003187789.tif 000013